(57)【要約】【課題】  糞尿を処理する。【解決手段】  濾過袋内に貝殻１８ａを入れた複数の浄化袋を懸架索１４で上下に循環的に搬送する。上昇路を汚水浄化セクションとし、下降路を乾燥・堆肥化セクションとする。最上段の浄化袋１８４に処理すべき糞尿を投入し、汚水を浄化して分離する。残った汚泥成分を収容する浄化袋を下降路で搬送する間に、汚泥成分を乾燥・堆肥化する。下降路の最下段で、浄化袋を懸架索１４から取り外し、新たな浄化袋を懸架索１４に取り付ける。【選択図】  図１
2005152835.tif 000002
【特許請求の範囲】
【請求項１】
濾過膜（１８ｂ）及び微生物担体（１８ａ）を収容する複数の浄化袋（１８）を用意し、
上昇路及び下降路を具備する循環輸送路を規定する懸架索（１４）を駆動する搬送装置（１０，１２，１４，２０，２２）の当該懸架索（１４）に当該複数の浄化袋（１８）を所定間隔で懸架し、
当該上昇路及び当該下降路の一方の所定の浄化袋に処理すべき汚水を注入し、
当該循環輸送路に沿って当該複数の浄化袋を搬送し、
当該循環輸送路に沿った所定位置で当該所定の浄化袋を当該懸架索（１４）から取り外す
ことからなり、当該所定の浄化袋の当該濾過膜（１８）を目詰まり状態で使用することを特徴とする汚水処理方法。
【請求項２】
当該汚水が糞尿を含むことを特徴とする請求項１に記載の汚水処理方法。
【請求項３】
当該上昇路が垂直上昇路であり、当該所定の浄化袋（１８４）が当該垂直情緒路に位置することを特徴とする請求項１又は２に記載の汚水処理方法。
【請求項４】
当該所定の浄化袋が、当該上昇路の最上段に位置する浄化袋（１８４）である請求項３に記載の汚水処理方法。
【請求項５】
更に、当該懸架索（１４）に懸架される当該複数の浄化袋（１８）を加温装置（３０，３４）により加温するステップを具備する請求項１乃至４に記載の汚水処理方法。
【請求項６】
当該微生物担体（１８ａ）は、貝殻、軽石及び礫の内の１つ以上からなることを特徴とする請求項１乃至５の何れか１項に記載の汚水処理方法。
【請求項７】
当該濾過膜が濾過袋を形成しており、当該微生物担体（１８ａ）の少なくとも一部が当該濾過袋内に収容されている請求項１に記載の汚水処理方法。
【請求項８】
当該搬送装置が、透明パネル又は透明シート（３８）からなる壁を具備する筐体（３６）に収容されている請求項１乃至７の何れか１項に記載の汚水処理方法。
【請求項９】
当該壁の内面に光触媒を塗布してあることを特徴とする請求項８に記載の汚水処理方法。
【請求項１０】
濾過膜（１８ｂ）及び微生物担体（１８ａ）を収容する複数の浄化袋（１８）と、
上昇路及び下降路を具備する循環輸送路に沿って当該複数の浄化袋（１８）を搬送する搬送装置（１０，１２，１４，２０，２２）と、
当該上昇路及び当該下降路の一方の所定の浄化袋に処理すべき汚水を注入する汚水注入装置（２４，２６，２４ａ）と、
当該搬送装置（１０，１２，１４，２０，２２）及び当該搬送装置で搬送される当該複数の浄化袋（１８）を包囲する筐体（３６）と、
当該筐体（３６）内に設置される加温装置（３０，３４）
とを具備することを特徴とする汚水処理装置。
【請求項１１】
当該汚水が糞尿を含むことを特徴とする請求項１０に記載の汚水処理装置。
【請求項１２】
当該上昇路が垂直上昇路であり、当該所定の浄化袋（１８４）が当該垂直情緒路に位置することを特徴とする請求項１０に記載の汚水処理装置。
【請求項１３】
当該所定の浄化袋が、当該上昇路の最上段に位置する浄化袋（１８４）である請求項１２に記載の汚水処理装置。
【請求項１４】
当該加温装置が、当該上昇路にある浄化袋を加温する第１のヒータ（３０）と、当該下降路の浄化袋を加温する第２のヒータ（３４）とを具備する請求項１０乃至１３の何れか１項に記載の汚水処理装置。
【請求項１５】
当該搬送装置が、
上ローラ（１０）と、
下ローラ（１２）と、
当該上ローラ（１０）と当該下ローラ（１２）との間に架け渡された懸架索であって、当該複数の浄化袋（１８）が所定間隔で取り付けられる懸架索（１４）
と、当該上ローラ（１０）を所定方向に回転することで、当該懸架索（１４）を移動させる駆動装置（２０，２２）
とを具備することを特徴とする請求項１０乃至１４の何れか１項に記載の汚水処理装置。
【請求項１６】
当該微生物担体（１８ａ）は、貝殻、軽石及び礫の内の１つ以上からなることを特徴とする請求項１０乃至１５の何れか１項に記載の汚水処理装置。
【請求項１７】
当該濾過膜が濾過袋を形成しており、当該微生物担体（１８ａ）の少なくとも一部が当該濾過袋内に収容されている請求項１０乃至１６の何れか１項に記載の汚水処理装置。
【請求項１８】
当該筐体（３６）が、透明パネル又は透明シート（３８）からなる壁を具備することを特徴とする請求項１０乃至１７の何れか１項に記載の汚水処理装置。
【請求項１９】
当該壁の内面に光触媒を塗布してあることを特徴とする請求項１７に記載の汚水処理装置。
【請求項２０】
当該筐体（３６）が、天井に脱臭フィルタ（４０）を具備することを特徴とする請求項１０乃至１９の何れか１項に記載の汚水処理装置。
【請求項２１】
汚水を浄化する浄化袋であって、
微生物担体（１８ａ）と、
当該微生物担体（１８ａ）を収容する支持ネット（１８ｃ）と、
当該支持ネット（１８ｃ）と当該微生物担体（１８ａ）との間に配置された濾過材（１８ｂ）
とを具備することを特徴とする浄化袋。
【請求項２２】
当該濾過材（１８ｂ）が、平均格子間隔が０．１ｍｍ以下の不織布からなることを特徴とする請求項２１に記載の浄化袋。
【請求項２３】
当該濾過材が濾過袋を形成しており、当該微生物担体（１８ａ）の少なくとも一部が当該濾過袋内に収容されている請求項２１に記載の浄化袋。
【請求項２４】
当該微生物担体（１８ａ）は、貝殻、軽石及び礫の内の１つ以上からなることを特徴とする請求項２１乃至２３の何れか１項に記載の浄化袋
【発明の詳細な説明】
【技術分野】
【０００１】
本発明は、汚水処理方法及び装置並びに浄化袋に関し、より具体的には糞尿等の汚水を浄化する汚水処理方法及び装置、並びにその方法及び装置に利用される浄化袋に関する。
【背景技術】
【０００２】
糞尿からは、固体成分と液体成分を分離し、固体成分を更に乾燥発酵させることで、堆肥を得ることができる。堆肥を製造することで、糞尿の処理コストを回収できる。ただし、液体成分は、浄化して排出する必要がある。このように、糞尿処理システムとしては、糞尿から堆肥を製造する場合、固液分離処理と、湿った固体成分を乾燥発酵させる乾燥発酵処理と、分離された液体成分の浄化処理が必要である。
【０００３】
汚水浄化技術には、汚水の汚染度を低減する浄化処理と、汚泥を分離する固液分離処理がある。汚染度を低減する浄化処理には、微生物の消化作用を利用する生物処理（主に活性汚泥法と散水源床法）と、化学処理と、固液分離等の物理的処理とがあり、実際の設備では、これらの処理が組み合わせて利用される。汚水処理工程で発生した余剰汚泥の処理は不可欠である。多くの場合、余剰汚泥は、浄化槽から高濃度の液状汚泥として回収される。この余剰汚泥は、脱水・乾燥工程をへて堆肥となるか又は焼却処分される。
【０００４】
生物処理には、微生物が付着成長する担体(礫、プラスチック、貝殻等)を積層した固定処理槽の上部に汚水を散水することで汚水を浄化する散水濾床法と、微生物が付着成長する担体を網袋等に入れ、それを汚水中に浸す方法がある。
【０００５】
散水濾床法の処理水には、沈降凝集性が悪い微細な汚泥が含まれるので、後処理として汚泥分離が必要となる。さらに、濾床上面では、微生物の成長による目詰まりが起き易く、その対策として担体の撹拝が不可欠である。
【０００６】
後者の方法では、酸素の供給が十分ではないので、実際の処理能力が低い。効率を高めるにはエアレーションが不可欠である。
【０００７】
汚水の汚濁成分の多くは、水中に浮遊する懸濁物質である。化学処理では、硫酸鉄、石灰又は高分子等の各種凝集材を利用して、これらの懸濁物質を沈降させることで、汚水を浄化する。
【０００８】
物理的処理による汚水浄化には、重力沈降による汚泥分離、金属メッシュスクリーンによる固液分離、及び固液分離膜（濾過膜）を利用した重力脱水がある。
【０００９】
汚水処理では、どのような方法であっても、最終段階で処理水中に残存している汚泥を分離除去する必要がある。多くの場合、最終沈殿槽における重力沈降で汚泥等を分離する。この方法では、沈殿槽底部に沈殿した高濃度の液状汚泥をさらに脱水固形化する必要が生じる。
【００１０】
汚水処理設備では、前処理工程の交雑物の除去、さらには余剰汚泥の分離脱水のためにスクリーン、例えば金属メッシュスクリーンを設置している。この種のスクリーンは目詰まりにより処理能力が低下するので、一般的には、目詰まりが生じない程度に目の粗いものが使用され、微粒子は、殆ど除去されない。
【００１１】
濾過膜を利用する重力脱水方式の汚水処理は、高濃度の掘削汚泥等の処理技術として実用化されている。この汚水処理では、汚泥の脱水装置が不要となる。しかし、急速濾過であるので、水切りをよくする高分子凝集材の大量使用が避けられない。また、滞留時間が短いので、袋内では生物消化反応は生じない。
【００１２】
特許文献１には、家畜糞尿などに生石灰を混ぜ、その混合物を輸送しつつ熱風で乾燥させる方法が記載されている。
【００１３】
特許文献２には、家畜糞尿等の有機性廃棄物を固体成分と液体成分に分離した後、分離液からカリウムを回収し、発酵槽中の固体成分に散布する装置及び方法が記載されている。
【００１４】
特許文献３には、エンドレスの発酵槽内を３０乃至９０°Ｃと発酵処理部と１００乃至２００°Ｃの高温処理部に区分し、事前の脱水処理無しで家畜糞尿等を加熱、発酵、乾燥、熟成させる方法及び装置が記載されている。
【００１５】
特許文献４には、家畜糞尿などの有機性廃棄物を層流状の簀子（すのこ）により２０乃至３０°Ｃに保温し、攪拌発酵させる方法及び装置が記載されている。簀の子
【００１６】
特許文献５には、糞尿をバーナーで乾燥及び脱臭した後、発酵槽で発酵させる方法及び装置が記載されている。
【００１７】
特許文献６には、糞尿に水分調整材を混ぜて攪拌し、水分調整材と糞尿の混合物を移送しながら発酵させる方法及び装置が記載されている。
【００１８】
液体成分の浄化には、下水処理と同様の曝気処理が使用される。特許文献７には、仕上げに蛎殻を使用することが記載されている。
【特許文献１】特開２００２−１６０９８７号公報
【特許文献２】特開２００３−０６３８８６号公報
【特許文献３】特開２００３−１０４７８５号公報
【特許文献４】特開２００３−１７１１９１号公報
【特許文献５】特開２００３−１９２４７５号公報
【特許文献６】特開２００３−２３６５９０号公報
【特許文献７】特開２００３−２２５６９６号公報
【発明の開示】
【発明が解決しようとする課題】
【００１９】
従来の方法では、種々の問題点がある。即ち、個々の処理を段階的に実行するので、装置の設置に広い面積を必要とする。方法によっては、微生物による分解を促すために酸素を強制的に供給しなければならず、大電力を必要とする。処理能力の変更に柔軟に対応できない。
【００２０】
本発明は、簡略化した構成で効率的に糞尿などの汚水を浄化できる汚水処理方法及び装置、並びにこれらの方法及び装置で使用可能な浄化袋を提示することを目的とする。
【００２１】
本発明はまた、小面積で運用可能な汚水処理方法及び装置、並びにこれらの方法及び装置で使用可能な浄化袋を提示することを目的とする。
【００２２】
本発明はまた、汚水の固液分離・浄化と、分離した固体成分の乾燥・堆肥化とを効率的に実施できる汚水処理方法及び装置、並びにこれらの方法及び装置で使用可能な浄化袋を提示することを目的とする。
【課題を解決するための手段】
【００２３】
本発明に係る汚水処理方法では、まず、濾過膜及び微生物担体を収容する複数の浄化袋を用意する。上昇路及び下降路を具備する循環輸送路を規定する懸架索を駆動する搬送装置の当該懸架索に当該複数の浄化袋を所定間隔で懸架する。当該上昇路及び当該下降路の一方の所定の浄化袋に処理すべき汚水を注入する。このとき、当該所定の浄化袋の当該濾過膜を目詰まり状態で使用する。当該循環輸送路に沿って当該複数の浄化袋を搬送する。当該循環輸送路に沿った所定位置で当該所定の浄化袋を当該懸架索から取り外す。
【００２４】
処理すべき汚水を注入する浄化袋の濾過膜を目詰まり状態で使用することにより、汚水に含まれる微細な固体成分も分離できる。ある浄化袋から漏れ出た汚水は、下段の浄化袋に入るので、逐次的に汚水が浄化される。浄化袋間を移動する際に空気が混入するので、浄化袋内の微生物担体による生物処理が進行しやすい。これもまた、汚水浄化能力を向上する。
【００２５】
分離された固体成分は、浄化袋内にとどまり、当該循環輸送路に沿って移動し、所定位置で取り外される。これにより、分離された固体成分を容易に回収できる。その際に、固体成分を乾燥させ、微生物担体の微生物による発酵を経ることで、堆肥化も行える。
【００２６】
当該汚水は、例えば、糞尿を含む。この場合、糞尿に含まれる水分の浄化と、糞尿の堆肥化を同時に行える。
【００２７】
好ましくは、当該上昇路が垂直上昇路であり、当該所定の浄化袋が当該垂直情緒路に位置する。上昇路を汚水浄化に使用することになり、下降路の終端で、乾燥した浄化袋を回収できる。即ち、浄化袋の回収作業と、新たな浄化袋を懸架索に取り付ける作業が容易になる。
【００２８】
好ましくは、当該所定の浄化袋が、当該上昇路の最上段に位置する浄化袋である。これにより、上昇路に位置する全浄化袋を汚水浄化に利用できる。即ち、上段から下段に汚水が滴り落ちでも、各段階での浄化袋で逐次的に浄化でき、高い浄化能力を発揮できる。
【００２９】
好ましくは、本方法は、更に、当該懸架索に懸架される当該複数の浄化袋を加温装置により加温するステップを具備する。これにより、固液分離、乾燥及び堆肥化が進む。
【００３０】
好ましくは、当該微生物担体は、貝殻、軽石及び礫の内の１つ以上からなることを特徴とする。これにより、微生物による生物処理を効率的に進めることができる。
【００３１】
好ましくは、当該濾過膜が濾過袋を形成しており、当該微生物担体の少なくとも一部が当該濾過袋内に収容されている。濾過袋内に滞留する汚水は、微生物担体の微生物で浄化される。
【００３２】
好ましくは、当該搬送装置が、透明パネル又は透明シートからなる壁を具備する筐体に収容されている。これにより、いわば温室内で浄化袋を移動させることができ、汚水浄化能力が向上する。
【００３３】
好ましくは、当該壁の内面に光触媒を塗布してある。これにより、脱臭機能が高まる。
【００３４】
本発明に係る汚水処理装置は、濾過膜及び微生物担体を収容する複数の浄化袋と、上昇路及び下降路を具備する循環輸送路に沿って当該複数の浄化袋を搬送する搬送装置と、当該上昇路及び当該下降路の一方の所定の浄化袋に処理すべき汚水を注入する汚水注入装置と、当該搬送装置及び当該搬送装置で搬送される当該複数の浄化袋を包囲する筐体と、当該筐体内に設置される加温装置とを具備することを特徴とする。
【００３５】
処理すべき汚水を注入する浄化袋の濾過膜を目詰まり状態で使用することにより、汚水に含まれる微細な固体成分も分離できる。ある浄化袋から漏れ出た汚水は、下段の浄化袋に入るので、逐次的に汚水が浄化される。浄化袋間を移動する際に空気が混入するので、浄化袋内の微生物担体による生物処理が進行しやすい。これもまた、汚水浄化能力を向上する。上下方向の移動で済むので、設置面積が少なくて済む。高さを増す又は複数のセットを設置することで、容易に処理能力を増強できる。
【００３６】
好ましくは、当該汚水が糞尿を含む。この場合、糞尿に含まれる水分の浄化と、糞尿の堆肥化を同時に行える。
【００３７】
好ましくは、当該上昇路が垂直上昇路であり、当該所定の浄化袋が当該垂直情緒路に位置する。上昇路を汚水浄化に使用することになり、下降路の終端で、乾燥した浄化袋を回収できる。即ち、浄化袋の回収作業と新たな浄化袋を懸架索に取り付ける作業が容易になる。
【００３８】
好ましくは、当該所定の浄化袋が、当該上昇路の最上段に位置する浄化袋である。これにより、上昇路に位置する全浄化袋を汚水浄化に利用できる。即ち、上段から下段に汚水が滴り落ちでも、各段階での浄化袋で逐次的に浄化でき、高い浄化能力を発揮できる。
【００３９】
好ましくは、当該加温装置が、当該上昇路にある浄化袋を加温する第１のヒータと、当該下降路の浄化袋を加温する第２のヒータとを具備する。これにより、上昇路及び下降路の浄化袋での固液分離、乾燥及び堆肥化を促進できる、
【００４０】
好ましくは、当該搬送装置が、上ローラと、下ローラと、当該上ローラと当該下ローラとの間に架け渡された懸架索であって、当該複数の浄化袋が所定間隔で取り付けられる懸架索と、当該上ローラを所定方向に回転することで、当該懸架索を移動させる駆動装置とを具備する。これにより、小面積の簡易な構造で循環輸送路に沿って浄化袋を搬送できる。
【００４１】
好ましくは、当該微生物担体は、貝殻、軽石及び礫の内の１つ以上からなることを特徴とする。これにより、微生物による生物処理を効率的に進めることができる。
【００４２】
好ましくは、当該濾過膜が濾過袋を形成しており、当該微生物担体の少なくとも一部が当該濾過袋内に収容されている。濾過袋内に滞留する汚水は、微生物担体の微生物で浄化される。
【００４３】
好ましくは、筐体が、透明パネル又は透明シートからなる壁を具備する。これにより、筐体内を温室とすることができ、汚水浄化能力が向上する。
【００４４】
好ましくは、当該壁の内面に光触媒を塗布してある。これにより、脱臭機能が高まる。
【００４５】
本発明に係る浄化袋は、汚水を浄化する浄化袋であって、微生物担体と、当該微生物担体を収容する支持ネットと、当該支持ネットと当該微生物担体との間に配置された濾過材とを具備することを特徴とする。
【００４６】
このような浄化袋により、細かい汚泥成分も分離できる。使用材料が安価に入手可能であるので、低コストで汚水を浄化できる。
【発明の効果】
【００４７】
本発明により、小設置面積で汚水を浄化できる。微細な固体成分を液体成分から効率的に分離できる。分離された固体成分を乾燥させ、必要により対比して回収できる。これらにより、低コストで汚水を処理でき、例えば、糞尿を処理できる。糞尿の処理で回収される固体成分の堆肥化も容易になる。
【発明を実施するための最良の形態】
【００４８】
以下、図面を参照して、本発明の実施例を詳細に説明する。
【００４９】
図１は、本発明の一実施例の概略構成の正面図を示し、図２は、その中央断面図を示す。
【００５０】
上下に離れた位置に配置されたローラ１０，１２間に懸架索１４をわたしてある。懸架索１４には一定間隔で複数の吊下げ構造体１６が固定され、各吊下げ構造体１６から浄化袋１８（１８１〜１８７）が吊り下げられている。図３は、吊下げ構造体１６と浄化袋１８の斜視図を示す。吊下げ構造体１６は、両端が懸架索１４に固定される懸架軸１６ａと、浄化袋１８をその４隅で吊下げる懸架フレーム１６ｂと、懸架軸１６ａから懸架フレーム１６ｂを吊下げる吊下げベルト１６ｃからなる。
【００５１】
図４は、使用時の浄化袋１８の縦断面図を示す。浄化袋１８は、微生物が表面等に付着して微生物担体となる貝殻１８ａと、不織布からなる濾過袋１８ｂと、貝殻１８ａ及び濾過袋１８ｂを内部に保持する支持ネット１８ｃからなる。即ち、浄化袋１８は、支持ネット１８ｃ内に濾過袋１８ｂを入れ、その濾過袋１８ｂ内に貝殻１８ａを収容した構造からなる。濾過袋１８ｂは、目の細かい不織布を封筒上に縫製したものからなる。本実施例では、濾過袋１８ｂを意図的に目詰まりさせて使用する。貝殻１８ａは濾過袋１８ｂから溢れていてもよい。浄化袋１８は、吊下げフック１８ｄにより、吊下げ構造体１６の懸架フレーム１６ｂに掛けられる。
【００５２】
濾過袋１８ｂ内で汚水の生物浄化作用が進行するように、濾過袋１８ｂの中に、微生物担体である貝殻１８ａと農地の土壌を収容する。貝殻１８ａは、ある程度の細かさに破砕しておくのが好ましい。貝殻は、必要量を確保しやすいだけでなく、通常、非常に安価に、時には、無料又は逆に廃棄費用を受け取って入手することができる。
【００５３】
微生物担体としては、貝殻１８ａ以外に、好気性微生物が付着しやすい多孔質のものであれば何でも良い。例えば、貝殻、軽石、発砲骨材及びプラスチック片等が使用可能である。微生物担体自体が、石灰分の溶出等で汚水のアルカリ度を高める効果があるものであれば、好気性微生物の消化作用を促進するので、より好ましい。微生物担体に加えて土壌を添加するのは、濾過袋１８ｂ内での好気性微生物の早期定着を図るためである。また、土壌中の微粒子が濾過袋１８ｂの目詰まりを促進させ、濾過速度を適正水準まで低下させるというメリットがある。
【００５４】
支持ネット１８ｃは、貝殻１８ａが抜け落ちない程度の荒さのネットからなり、例えば、工事汚泥処理用の耐久性がある市販ナイロンロープを編んだものからなる。図５は、支持ネット１８ｃの斜視図を示す。全体に筒状であり、底部を紐で縛って、内部の貝殻１８ａと濾過袋１８ｂが脱落しないようにする。堆肥化後には、底部の紐を緩めることで、容易に内部の貝殻１８ａと濾過袋１８ｂを回収できる。
【００５５】
一例では、各浄化袋１８の実容量は約３５リットルである。微生物担体としての貝殻１８ａの挿入量は、約３０リットルであり、空隙率を８０％として実容量は６リットルである。土壌添加量は、適宜でよく、例えば、５ｋｇ程度、細粒分のみの場合３リットルである。各浄化袋１８に収容できる処理水容量は、実容量（約３５リットル）から微生物担体の容量と添加土壌を除いた約２６リットルである。
【００５６】
上側のローラ１０と、更にその上に配置されるモータ２０との間にベルト２２を掛けてあり、ローラ１０は、モータ２０により図１の反計方向に回転する。即ち、図１で、ローラ１０，１２の右側に位置する浄化袋１８（１８１〜１８４）は上昇し、ローラ１０，１２の左に位置する浄化袋１８（１８５〜１８７）は下降する。後述するように、ローラ１０，１２の右側の、浄化袋１８（１８１〜１８４）の輸送路（上昇路）は、汚水浄化セクションになり、ローラ１０，１２の左側の、浄化袋１８（１８５〜１８７）の輸送路（下降路）は、乾燥・堆肥化セクションになる。
【００５７】
外部から供給される糞尿は、パイプ２４を通って、ポンプ２６により汚水浄化セクションの上方、即ち、浄化袋１８４の上方に輸送され、吐出口２４ａから間欠的に下方向に吐き出される。吐出口２４ａから吐き出される糞尿は、まず、最上部の浄化袋１８４に入る。
【００５８】
浄化袋１８４に投入された糞尿は、濾過袋１８ｂにより固液分離される。微細な流動成分を含む液体成分は、濾過袋１８ｂを透過して下方向に落下する。濾過袋１８ｂは容易に目詰まりを起こすが、本実施例では、その目詰まりは汚水浄化の障害にならない。新しい糞尿の投入は、浄化袋１８４の濾過袋１８ｂから溢れない程度にしておくのが好ましい。しかし、濾過袋１８ｂに収容しきれない一部の糞尿は、濾過袋１８ｂの無いといころから支持ネット１８ｃの外部に漏れ出て、下段の浄化袋１８３に入るので、多少の溢れは問題にならない。
【００５９】
浄化袋１８４からしみ出た又は漏れ出た成分は、直ぐ下の浄化袋１８３に入る。濾過袋１８ｂからしみ出た水は、濾過膜１８ｂの表面に薄い水膜を形成し、浄化袋１８４の下部から下の浄化袋１８３に滴り落ちる。このようにして、液体成分及び流動成分は順次、浄化袋１８４，１８３，１８２，１８１により濾過される。この過程で、濾過水の表面積は時間当り・流量当りで著しく大きくなり、生物処理に必要となる十分な酸素が供給される。即ち、本実施例では、動力無しでエアレーションが行われるのと同じことになり、好気性微生物の活動に十分な酸素が動力無しで供給される。
【００６０】
各浄化袋１８４〜１８１内を通過する間に、貝殻１８ａに付着する微生物により、液体成分中の有機成分は分解されていく。最下段の浄化袋１８１からしみ出た又は漏れ出た液体は、処理水溜２８に収容される。処理水溜２８に収容される液体は、複数の浄化袋１８１〜１８４を経由しているので、固体成分及び有機成分を含まない十分に浄化された水からなり、そのまま外部に排出可能である。もちろん、必要により高度の浄化処理を施して外部に排水してもよい。
【００６１】
汚水処理では、処理水中に残存し、通常は浮遊している汚泥を分離除去する必要があり、従来例の多くは、最終段階として、沈殿槽における重力沈降で汚泥を分離している。しかし、この方法では、沈殿槽底部に沈殿した高濃度の液状汚泥をさらに脱水固形化する必要が生じる。本実施例では、複数の浄化袋１８４〜１８１を経由させることと、濾過袋１８ｂを目詰まりさせてもよいことから、微細な汚泥も浄化袋１８４〜１８１内に閉じこめられる。処理水溜２８に溜まる液体は、微細汚泥を十分に除去しえたものとなる。
【００６２】
濾過膜１８ｂは、平均格子間隔が細かく、例えば、０．１ｍｍ以下であり、汚水浄化能力が高い。本実施例では、濾過膜１８ｂを目詰まり状態で使用するので、平均格子間隔が０．１ｍｍの濾過膜１８ｂを使用した場合でも、０．０１ｍｍ程度の粒径の浮遊物質（ＳＳ）を濾過することができる。これは、家畜糞尿に含まれるＳＳのほぼ６０％に相当する。他方、実用格子間隔が０．４ｍｍ程度のワイヤメッシュの場合、せいぜい、０．１ｍｍ程度までの粒径の浮遊物質しか濾過できなない。これは、家畜糞尿に含まれるＳＳのほぼ３０％に相当する。これにより、本実施例の浄化袋１８が、従来のワイヤメッシュの場合に比べて、格段にＳＳ除去性能が高いことが分かる。
【００６３】
浄化袋１８の上昇路は、汚水を分離し浄化するセクションでもある。汚水浄化能力を高めるために、上昇路の下側にフラットパネル状のヒータ３０を配置してある。ヒータ３０は、上昇路の中の下段に位置する浄化袋１８１，１８２を直接、加熱して、浄化袋１８１，１８２からの水分の放出を促す。また、ヒータ３０により生成される温暖な空気が上昇することで、ヒータ３０より上方に位置する上昇路の浄化袋１８３，１８４を暖め、これら浄化袋１８３，１８４からの水分の放出を促す。
【００６４】
ローラ１０，１２による浄化袋１８の移動は、基本的には間欠的であるが、連続的であってもよい。その移動速度は、例えば、１年に１周する程度に非常にゆっくりである。移動速度は、具体的には、浄化セクションでの浄化能力と乾燥・堆肥化セクションでの乾燥・堆肥化能力によって決定される。
【００６５】
先に説明したように、浄化袋１８の下降路は、乾燥・堆肥化セクションであり、上昇路から下降路に移動した浄化袋１８５の中身は、ほとんど固形成分からなり、液体成分はわずかである。この液体成分が下降路の下側の浄化袋（図示例では、浄化袋１８６）に垂れ落ちないように、浄化袋１８５と浄化袋１８６の間に水切り板３２を配置してある。水切り板３２は、落下した水分を、上昇路の浄化袋（図示例では、浄化袋１８３）に誘導する。水切り板３２は、浄化袋１８５の下降の際に押し退けられるように一端で揺動可能に軸支されており、これにより、浄化袋１８の移動を妨げないようになっている。
【００６６】
下降路の浄化袋１８５〜１８７内の固形成分は、浄化袋１８５〜１８７内の貝殻１８ａに付着する微生物により分解され、徐々に堆肥となる。その堆肥化を促進するために、下降路の下側にフラットパネル状のヒータ３４を配置してある。図１に示す例では、ヒータ３４を上昇路と下降路の間に配置してあるので、ヒータ３４は、上昇路にある浄化袋１８１〜１８４を乾燥させる機能も果たす。下降路の最下段に到達する頃には、浄化袋内の固形成分は完全に又はほぼ完全に堆肥になる。その浄化袋１８８を、吊下げ構造体１６のフレーム１６ｂと一緒に懸架索１４から取り外し、その代わりに、吊下げ構造体１６のフレーム１６ｂ付きの新しい浄化袋１８９を懸架索１４に取り付ける。
【００６７】
回収された浄化袋１８８内では、糞尿から分解生成された堆肥成分が貝殻１８ａに付着している。回収した浄化袋１８８の支持ネット１８ｃの底部の紐を緩めて、内部の貝殻１８ａと濾過袋１８ｂを回収する。浄化袋１８８から取り出した貝殻１８ａに付着する堆肥成分を回収する。堆肥を分離した貝殻１８ａは再利用可能であり、再度、浄化袋１８に収容される。本実施例では、濾過袋１８ｂの目詰まりは問題にならないので、濾過袋１８ｂは、交換しても、しなくても、どちらでもよい。その浄化袋は、新たな浄化袋１８９として、図１に示す浄化ユニット内に投入される。
【００６８】
臭い除けと温室効果のために、上述の、浄化袋１８の輸送機構を筐体３６に収容する。筐体３６は枠と壁からなり、その壁は透明シート又は透明パネル３８からなる。筐体３６内にローラ１０，１２、懸架索１４、モータ２０及びベルト２２からなる浄化袋搬送機構を収容することにより、悪臭が外部に漏れることを防止すると共に、内部を温室とすることができる。透明シート又は透明パネル３８を二重フィルム断熱構造とすることで、保温・加温が容易になる。また、透明シート又は透明パネル３８の内面に二酸化チタンをコーティングすることで、悪臭の分解、即ち脱臭効果を持たせることができる。
【００６９】
光触媒(二酸化チタン)を塗布したシート３８は、超親水性であり、太陽光の照射により悪臭分解機能を発揮する。懸架索１４に懸架した浄化袋１８は、太陽光を吸収して加温され、水分を蒸発する。温室となった筐体３６内の水蒸気濃度の上昇に伴って、その蒸発は止まり、乾燥は進まなくなる。しかし、低温の外気と接する透明パネル３８の内面は、筐体３６の内部温度よりも低温であり、この温度差により、筐体３６内で対流が生じ、水蒸気が冷却され、透明パネル３８の内面上に結露しようとする。しかし、透明パネル３８の内面に光触媒を塗布しておくことにより、水分はその超親水性により実際には結露せず、パネル３８の内面に付着して流下する。光触媒はまた、悪臭成分を酸化分解する。内面に光触媒を塗布した透明パネル３８で全体を覆うことにより、浄化機能に必要な温度が維持され、同時に、汚泥乾燥及び悪臭分解が促進される。
【００７０】
生物浄化処理及び汚泥乾燥には一定の温度が必要である。温室構造を採用することで、冬季又は寒冷地でも、少ないエネルギーで内部温度を生物浄化処理及び汚泥乾燥に必要な温度に保つことが可能になる。
【００７１】
筐体３６の天井には、脱臭フィルタ４０を配置し、その脱臭フィルタ４０を介して悪臭を外部に排気する。
【００７２】
上昇路を汚水浄化セクションとし、最上段の浄化袋１８４に新しい糞尿を投入する上記実施例では、浄化袋１８の濾過膜１８ｂで分離される汚泥の発生量は最上段が最も多く、下段ほど少なくなる。目詰まりも、最上段の浄化袋１８４で最も早く進行し、最初に溢れる。溢れた場合、溢流水は浄化袋１８の表面を伝わり、下段の浄化袋に順次、滴下する。多段階の浄化袋１８で構成されているので、最上段の浄化袋１８４が溢れても、処理能力の低下は僅かである。また、各段階で流量変動を受け止めるので、いわば変動緩和機能を備えている。これにより、短時間の流量変動は、処理能力に殆ど影響しない。各浄化袋１８は、その濾過袋１８ｂが完全に目詰まりするまでは、浄化袋１８内の上部は浸水状態とはならない。従って、汚水処理が断続的でも、処理能力には殆ど影響しない。本実施例は、断続操業が可能である。
【００７３】
１本の懸架索１４に取り付ける浄化袋１８の数は、処理すべき糞尿の水質及び性状に合わせて決定され、浄化袋１８の数に応じて、筐体３６の高さが設定される。筐体３６の高さの変更は、後述するモジュール構造を採用することにより、容易に実現できる。
【００７４】
上記実施例では、上昇路を汚水浄化セクションとし、下降路を乾燥・堆肥化セクションとしている。この場合、堆肥化を終えた浄化袋を取り外しやすいが、乾燥・堆肥化セクションの直前の浄化袋１８４に新しい糞尿が投入される。上昇路（汚水浄化セクション）の最上段に位置する浄化袋１８４内で汚水浄化又は固液分離が完了又はほぼ完了した時点で、浄化袋１８４を下降路（乾燥・堆肥化セクション）の最上段の浄化袋１８５の位置に移動する。
【００７５】
上記実施例とは逆に、下降路を汚水浄化セクションとし、上昇路を乾燥・堆肥化セクションとしてもよい。この場合、汚水浄化セクションに位置する浄化袋の内で糞尿の投入後、最も時間の経過した浄化袋が乾燥・堆肥化セクションに移行することになるので、汚水浄化能力を最大限に活かすことができる。但し、上昇路の最上段又はその近くで堆肥化を終えた浄化袋を取り外すことになるので、取り外した浄化袋と新規の浄化袋を地上との間で輸送する手段を別に用意する必要がある。そのためには、乾燥・堆肥化セクションを長くするか、又は、乾燥・堆肥化を終えた浄化袋を輸送する別の輸送系を追加すればよい。
【００７６】
微生物担体として貝殻、例えば、アコヤ貝の貝殻を使用する実施例を説明したが、好気性微生物が付着成長しやすいその他の担体、例えば、軽石、人工骨材及び礫等を使用可能であり、これらを適宜に混入しても良い。土壌を混ぜても良い。
【００７７】
本実施例の汚水浄化は、基本的には散水濾床法である。この散水濾床法の場合、沈降凝集性が悪い微細な汚泥を回収する汚泥分離処理が必要になるが、本実施例では、この汚泥分離処理が、汚水浄化と一定に進行する。これにより、処理効率を改善でき、コストを低減できる。
【００７８】
本実施例では、浄化袋１８内に好気性微生物が付着成長する担体（貝殻、軽石及び礫等）を適量挿入することで、散水濾床法の従来の浄化施設と同等の機能を発揮できる。浄化袋により汚泥を濾過分離できるので、汚水浄化機能と汚泥分離機能を統合できる。
【００７９】
本実施例では、浄化槽となる浄化袋１８を立体的に上下に多段懸架するので、土地利用効率が大幅に改善される。
【００８０】
本実施例の筐体３６は一定サイズの規格化されたモジュールを積み上げる構造とすることができる。図６は、筐体３６を構成するモジュールの構造例を示す。筐体３６は、脱臭フィルタ４０及びモータ２０を収容するモジュール５０、ローラ１０を収容するモジュール５２、ローラ１２を収容するモジュール５４、及びモジュール５２，５４間に挿入されるモジュール５６からなる。使用するモジュール５６の数で高さを、従って、懸架索１４に取り付ける浄化袋１８の数を調整できる。
【００８１】
基礎以外の全てのモジュール５０〜５６を工場で生産でき、現場では組立てのみで済む。これにより、構成設備・機器の現場製作作業が発生せず、製造コストを大幅に低減できる。
【００８２】
各モジュールのサイズを運搬・ハンドリングが容易なサイズに設定できる。現場の組立作業には、要員5人と小型のトラッククレーン1台あれば十分であり、設置コストを大幅な低減できる。
【００８３】
上述の実施例からなる浄化ユニットを増減することで、全体の処理能力を容易に変更できる。即ち、必要部品の種類数を大幅に削減できる。
【００８４】
本実施例では、必要な酸素の供給と暖気に動力を必要としない。また、汚水は、浄化ユニッのト最上部から重力により流下しつつ処理されるので、所要動力は、汚水（糞尿）の供給のみである。処理水の移送に動力を必要としない。
【００８５】
本実施例による汚水浄化装置を中核とする家畜糞尿処理システムのモデル事例を説明する。ここでは、想定対象として、搾乳牛50頭の尿を処理するとした。この場合、１日の処理量は、２．５m3である。１日の稼働時間を、生物浄化に必要な適温を確保できる日中に限定し、８時間とする。微生物担体としてアコヤ貝の貝殻を使用する。
【００８６】
貝殻等の担体を利用した散水濾床法による生物浄化では、処理水の滞留時間として2時間を確保する必要がある。従って、
時間流量＝（日処理量）／（日操業時間）＝２．５m3／8ｈ＝３１２．５（リットル／h）
必要滞留容量＝３１２．５（リットル／h）×２ｈ＝６２５（リットル）
となる。
【００８７】
浄化袋１８は、先に説明したように、各浄化袋１８の実容量を約３５リットル（処理水容量にして約２６リットル）、貝殻１８ａの挿入量を約３０リットル（空隙率を８０％として、実質、６リットル）、土壌添加量を３リットルとする。図１に示す１単位の浄化ユニットに６つの浄化袋を吊下げるとして、１浄化ユニットの処理水容量は、２６（リットル／袋）×６（袋）＝１５６（リットル）となる。
【００８８】
１つの浄化袋での周囲長を１２０ｃｍ程度、深さを６０ｃｍ程度とした場合で、濾過膜の目詰まり状態では、浸水部分の表面積は約０．５ｍ２である。１つの浄化ユニットでは、汚水浄化セクションに６袋、乾燥堆肥化セクションに６袋あるので、全部で６袋であり、全浄化袋の総表面積は、約３．０ｍ３（＝０．５×６）となる。
【００８９】
必要滞留容量６２５リットルを１浄化ユニットの処理水容量１５６（リットル）で除算すると、必要な浄化ユニット数が得られる。上記モデルでは、４基の浄化ユニットが必要になる。必要な浄化袋数は、（１浄化ユニットに必要な数）×浄化ユニット数であり、４８袋（＝１２袋×４基）となる。
【００９０】
本実施例では、目詰まりを前提としているので、濾過速度は極めて遅く、単位流量当たりの膜面積は極めて大きい。これにより、濾過膜の表面において極めて効率的にガス交換が進行し、生物浄化に必要とする酸素が十分に供給されうる。システム全体の毎秒当りの流量は、約８６．８ミリリットル／ｓ（＝３１２．５（リットル／ｈ）／３６００）、1浄化ユニットの毎秒当りの流量は２１．７（ミリリットル／ｓ）（＝８６．８（ミリリットル／ｓ）／４）、濾過速度は、０．０４３４ｍｍ／ｓ（＝２１．７（ミリリットル／ｓ）／０．５ｍ２）、濾過膜の１ｍ２当たりの流量は約７．２４（ミリリットル／ｓ／ｍ２）（＝２１．７（ミリリットル／ｓ）／３．０ｍ２）、流量当たりの濾過膜面積は、１３８０（ｃｍ２／ｓ／ミリリットル）（＝１００００ｃｍ２／７．２４（ミリリットル／ｓ）である。
【００９１】
浄化袋１８の交換は、袋内に分離されたＳＳ量によって決まる。１つの浄化袋１８で分離されるＳＳ量が、毎日９ｋｇ(含水率９０％で約９リットル)である場合、交換数は１２６袋となる。なお、年間のＳＳ発生量は、３２８５リットル（＝９（リットル／日）×３６５（日））であり、これを１浄化袋の処理水容量である２６（リットル）で除算すると、年間の交換袋数が得られる。
【００９２】
このモデルでは、１つの浄化ユニットで浄化袋１８の回転数は、年間に２．６回と極めて少ない。従って、モータ２２としても、その動力が１ｋＷ以下の小型モータで十分である。1浄化ユニット当りの年間袋交換数は、３１．５（＝１２６／４）であり、これを１浄化ユニット当たりの浄化袋数で除算すると、１浄化ユニットの年間回転数２．６回（＝３１．５（袋）／１２（袋））が求められる。
【００９３】
糞尿を処理する場合を説明したが、本発明は、その他の汚水、特に有機物を含有する汚水を浄化する場合にも適用可能である。
【００９４】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００９５】
【図１】本発明の一実施例の概略構成の正面図である。
【図２】図１に示す実施例の中央断面図である。
【図３】吊下げ構造体１６と浄化袋１８を示す斜視図である。
【図４】使用時の浄化袋１８の縦断面図である。
【図５】支持ネット１８ｃの斜視図である。
【図６】筐体３６を構成するモジュールの構造例である。
【符号の説明】
【００９６】
１０，１２：ローラ
１４：懸架索
１６：吊下げ構造体
１６ａ：懸架軸
１６ｂ：懸架フレーム
１６ｃ：吊下げベルト
１８（１８１〜１８７）：浄化袋
１８ａ：貝殻（微生物担体）
１８ｂ：濾過袋
１８ｃ：支持ネット
１８ｄ：吊下げフック
２０：モータ
２２：ベルト
２４：パイプ
２４ａ：吐出口
２６：ポンプ
２８：処理水溜
３０：ヒータ
３２：水切り板
３４：ヒータ
３６：筐体
３８：虚位謡３６の壁（透明シート又は透明パネル）
４０：脱臭フィルタ
５０：脱臭フィルタ４０及びモータ２０を収容するモジュール
５２：ローラ１０を収容するモジュール
５４：ローラ１２を収容するモジュール
５４：モジュール５２，５６間に挿入されるモジュール
【図１】
2005152835.tif 000003
【図２】
2005152835.tif 000004
【図３】
2005152835.tif 000005
【図４】
2005152835.tif 000006
【図５】
2005152835.tif 000007
【図６】
2005152835.tif 000008